(57)【要約】【課題】ＬＥＤ集魚灯を軽量化してワイヤーロープに吊り下げ可能にすると共に、ＬＥＤ集魚灯を冷却する冷却液を放熱ホースを通じて外気に熱を放出させることで、冷却液を冷却する冷却装置を不要にし、さらに冷却装置を駆動させる大型の発電機も不要にして小型の発電機を使用可能にできる。【解決手段】サイズが１００mm×１００mm以下のＣＯＢ構造のＬＥＤ発光装置３と、該ＬＥＤ発光装置３が表面に取り付けられ軽量の放熱部材４と、を有するＬＥＤ集魚灯２を備え、熱を吸収した冷却液５が内部を流れる間に該冷却液５の熱を外気に放出させるフレキシブルな放熱ホース６を備え、循環して配設される放熱ホース６の途中に冷却液５の貯留タンク７と循環ポンプ８とを備え、漁船１上に張ったワイヤーロープ９にＬＥＤ集魚灯２を揺動可能に吊り下げた。【選択図】        図１
2018113877.tif 000002
【特許請求の範囲】
【請求項１】
サイズが１００mm×１００mm以下のＣＯＢ構造のＬＥＤ発光装置と、該ＬＥＤ発光装置が表面に取り付けられ材質がアルミニウム製部材からなり複数回の往復を繰り返す角部傾斜の断面四角形の放熱路を内部に一体形成した軽量の放熱部材と、を有するＬＥＤ集魚灯を備え、上記放熱部材の放熱路内を流れ該放熱路の内周壁面を通じて上記ＬＥＤ発光装置で生じる熱を吸収して該ＬＥＤ発光装置を冷却する冷却液を備え、熱を吸収した上記冷却液が内部を流れる間に該冷却液の熱を外気に放出させるフレキシブルな放熱ホースを備え、上記放熱ホースの筒状の側周面をその内部に一体化された硬質線材が螺旋状に巻かれた軟質側周面から構成し、上記ＬＥＤ集魚灯の放熱部材に形成された上記放熱路の流入口と排出口とに上記放熱ホースの両端をそれぞれ接続して漁船上に該放熱ホースを循環配設し、循環して配設される上記放熱ホースの途中に上記冷却液の貯留タンクと循環ポンプとを備え、上記漁船上に張ったワイヤーロープに上記ＬＥＤ集魚灯を揺動可能に吊り下げ、上記冷却液が循環しながらその内部を流れる上記放熱ホースを通じて上記ＬＥＤ発光装置を冷却可能にしたことを特徴とするワイヤー吊り下げ式ＬＥＤ集魚灯。
【請求項２】
ＬＥＤ発光装置から発する光の全体を覆うように少なくとも一枚のレンズが組み合わされてＬＥＤ発光装置に取り付けられている請求項１記載のワイヤー吊り下げ式ＬＥＤ集魚灯。
【請求項３】
ＬＥＤ発光装置から発する光を集光・反射する傘型のリフレクタがＬＥＤ発光装置に取り付けられている請求項１記載のワイヤー吊り下げ式ＬＥＤ集魚灯。
【発明の詳細な説明】
【技術分野】
【０００１】
この発明は、漁船に取り付けられて使用される集魚灯に係り、特に、集魚灯にＬＥＤ集魚灯を使用し、ＬＥＤ集魚灯を冷却する冷却液を放熱ホースを通じて外気に熱を放出させるようにしたワイヤー吊り下げ式ＬＥＤ集魚灯に関するものである。
【背景技術】
【０００２】
現在、パネル型ＬＥＤ集魚灯(低容量の砲弾型ＬＥＤ素子等を数多く並べたもの)は試験的に漁船に設置してその効果等に付いて検証が行われているが、まだ実用化には至っていない。その原因としては、低容量のＬＥＤ素子を並べた構造である為トータル容量(電力)の割には暗く、集魚能力が弱い、又パネル型であるため、海面に対する光照射面で明暗の境界ができる。その他に投光器型(空冷式)も試されてきたが空冷式で重量が有り(放熱フィンが必要な為)パネル型ＬＥＤ、投光器型、何れもその技術的特徴での構造による大きさ・重量等の理由で固定式となっている。
【先行技術文献】
【特許文献】
【０００３】
【特許文献１】特開２０１５−１７０５９０
【発明の概要】
【発明が解決しようとする課題】
【０００４】
この固定式とした場合、操業時船は揺れの為その光は、上下に揺れ、海面に光の強弱が強く投光され、集まった魚群を散らす(船の近傍から遠避けてしまう)イカ釣り、一本釣り(代表的な釣り漁法)では船の直下での釣り漁法である為、船の直下に魚群を集めることが、漁獲の成否を決定する。
そのため、現在殆どの漁船で採用しているメタルハライド集魚灯は船が揺れてもある程度海面照度が安定するワイヤー吊り下げ方式である。
集魚灯の最も重要な点は、強い光を遠くまで照射し尚且つ、海面に光の境目が出来たり、強弱が強く出たりせず、海面照度が安定した船回りの配光である。
【０００５】
ところで、特開２０１５−１７０５９０の「ワイヤー吊り下げ式のＬＥＤ集魚灯」にあっては、ＬＥＤ素子を発光源とするＬＥＤ集魚灯の発光部のサイズが概略１５０ｍｍ×１５０ｍｍを超えない大きさであるため、ＬＥＤ集魚灯を冷却する冷却水を冷却させるためには冷却装置（熱交換器）を必要とし、その結果、その冷却装置を駆動させる大型の発電機を必要としていた。
【０００６】
この発明は、上記のような課題に鑑み、その課題を解決すべく創案されたものであって、その目的とするところは、ＬＥＤ集魚灯を軽量化してワイヤーロープに吊り下げ可能にすると共に、ＬＥＤ集魚灯を冷却する冷却液を放熱ホースを通じて外気に熱を放出させることで、冷却液を冷却する冷却装置を不要にし、さらに冷却装置を駆動させる大型の発電機も不要にして小型の発電機を使用可能にできるワイヤー吊り下げ式ＬＥＤ集魚灯を提供することにある。
【課題を解決するための手段】
【０００７】
以上の課題を達成するために、この発明は、サイズが１００mm×１００mm以下のＣＯＢ構造のＬＥＤ発光装置と、該ＬＥＤ発光装置が表面に取り付けられ材質がアルミニウム製部材からなり複数回の往復を繰り返す角部傾斜の断面四角形の放熱路を内部に一体形成した軽量の放熱部材と、を有するＬＥＤ集魚灯を備え、上記放熱部材の放熱路内を流れ該放熱路の内周壁面を通じて上記ＬＥＤ発光装置で生じる熱を吸収して該ＬＥＤ発光装置を冷却する冷却液を備え、熱を吸収した上記冷却液が内部を流れる間に該冷却液の熱を外気に放出させるフレキシブルな放熱ホースを備え、上記放熱ホースの筒状の側周面をその内部に一体化された硬質線材が螺旋状に巻かれた軟質側周面から構成し、上記ＬＥＤ集魚灯の放熱部材に形成された上記放熱路の流入口と排出口とに上記放熱ホースの両端をそれぞれ接続して漁船上に該放熱ホースを循環配設し、循環して配設される上記放熱ホースの途中に上記冷却液の貯留タンクと循環ポンプとを備え、上記漁船上に張ったワイヤーロープに上記ＬＥＤ集魚灯を揺動可能に吊り下げ、上記冷却液が循環しながらその内部を流れる上記放熱ホースを通じて上記ＬＥＤ発光装置を冷却可能にした手段よりなるものである。
【発明の効果】
【０００８】
この発明に係るワイヤー吊り下げ式ＬＥＤ集魚灯によれば、サイズが１００mm×１００mm以下のＣＯＢ構造のＬＥＤ発光装置を使用することで、冷却液を冷却する冷却装置を不要にでき、又冷却装置を駆動させる大型の発電機も不要にして小型の発電機が使用可能になる。さらに、冷却装置や大型の発電機の設置スペースを不要にできるので、特に、小型の船に寄与するメリットを格段に向上させることができる。
しかも、ＬＥＤ発光装置が表面に取り付けられる放熱部材は、その材質が軽量のアルミニウム製部材からなるので、ＬＥＤ発光装置と放熱部材を有するＬＥＤ集魚灯を軽量化することが可能となり、現状の漁船に設置されているメタルハライド集魚灯を吊り下げているワイヤーロープに上記ＬＥＤ集魚灯を揺動可能に吊り下げることができる。
さらに、放熱部材の内部に一体的に形成された複数回の往復を繰り返す放熱路は、その断面が角部傾斜の断面四角形に形成されているため、放熱路の内部を流れる冷却水は放熱路の角部傾斜の断面四角形の内周全面に密接した状態で流下するので、放熱路の内周全面から熱を吸収することが可能となって、放熱部材と冷却液との間でその熱交換率を高めることができる。
そのうえ、放熱ホースの筒状の側周面をその内部に一体化された硬質線材が螺旋状に巻かれた軟質側周面から構成したので、筒状の軟質側周面により柔軟性が維持され、且つ、その内部に一体化された螺旋状の硬質線材により筒状の形状が維持されると共に、硬質線材６ｂが螺旋状であるため、簡単に曲げることが可能でフレキシブルを維持することができる。又フレキシブルホースの使用により、集魚灯設置位置の変更が、簡単に出来、季節による対象魚に合わせた、最も適した配光等をすることができる。
また、広角のレンズや傘型のリフレクタをＬＥＤ発光装置に取り付けて使用することにより、更に安定した配光海面照度を保ち最大の集魚能力を発揮させることができる等、極めて新規的有益なる効果を奏するものである。
【図面の簡単な説明】
【０００９】
【図１】この発明を実施するための形態を示す漁船にＬＥＤ集魚灯を吊り下げた概略側面図である。
【図２】この発明を実施するための形態を示す冷却システムの概念図である。
【図３】この発明を実施するための形態を示す図１のＡ部分の拡大図である。
【図４】（Ａ）はこの発明を実施するための形態を示すＬＥＤ発光装置の正面図、（Ｂ）は同図（Ａ）の底面図である。
【図５】（Ａ）はこの発明を実施するための形態を示すＬＥＤ発光装置の側面図、（Ｂ）は図４（Ａ）のＡ−Ａ断面図である。
【図６】（Ａ）はこの発明を実施するための形態を示す放熱部材の正面図、（Ｂ）は放熱路の断面図である。
【図７】（Ａ）はこの発明を実施するための形態を示す放熱ホースの一部切り欠き部分側面図、（Ｂ）は放熱ホースの正面図である。
【図８】ＬＥＤ発光部の温度を示す実験図である。
【発明を実施するための形態】
【００１０】
以下、図面に記載の発明を実施するための形態に基づいて、この発明をより具体的に説明する。
【００１１】
図において、ワイヤー吊り下げ式ＬＥＤ集魚灯は、魚類の光に集る習性を利用し夜間漁業で魚類を集めるために用いる光りを発する光源を漁船１に取り付けて使用されるもので、ＬＥＤ発光装置３と該ＬＥＤ発光装置３が表面に取り付けられた放熱部材４とを有するＬＥＤ集魚灯２、ＬＥＤ発光装置３を冷却する冷却液５、冷却液５が流れる放熱ホース６、冷却液５の貯留タンク７、循環ポンプ８などを備え、漁船１の上に張ったワイヤーロープ９に上記ＬＥＤ集魚灯２を揺動可能に吊り下げ、上記冷却液５が循環しながらその内部を流れる上記放熱ホース６を通じて上記ＬＥＤ発光装置３を冷却可能にする特徴を有している。
【００１２】
ＬＥＤ集魚灯２は、夜間漁業で魚類を集めるために用いる光りを発する光源で、ＬＥＤ発光装置３と該ＬＥＤ発光装置３が表面に取り付けられた放熱部材４とからなる。ＬＥＤ発光装置３は光を発することで熱が生まれ、その熱を取り除かないと、ＬＥＤが熱によって徐々に発光量が低下する。このため、放熱部材４によってその熱を放出することが必要となる。
【００１３】
このうち、ＬＥＤ発光装置３は、直に光りを発する光源にＬＥＤを使用したものである。ＬＥＤは発光ダイオードを使用したもので、低消費電力で、超寿命、さらに低発熱性などの特徴を備えている。ＬＥＤ発光装置３は、ＬＥＤを光源に使用するため、従来の発熱灯を集魚灯に使用する場合に比べて低消費電力となる。このため、発電機を小さくでき、又発電エネルギーも少なくすることができる。
【００１４】
また、本願発明のＬＥＤ発光装置３は、サイズが１００mm×１００mm以下のＣＯＢ構造からなる。ＣＯＢ構造のＬＥＤ発光装置３は、複数のＬＥＤ発光素子をマトリクス状に配列して面状の光を照射する面状発光装置である。そのサイズが１００mm×１００mm以下に限定されるのは、これよりも大きい場合には、本願発明の特徴である冷却液５を放熱ホース６のみを使用して、ＬＥＤを完全に冷却できないからである。
【００１５】
つまり、ＬＥＤ発光装置３のサイズが１００mm×１００mmを超える場合には、放熱ホース６のみでは冷却液５を十分に冷却できず、この結果、冷却されていない冷却液５でＬＥＤの中心部分を十分に冷却することができなくなる。ＬＥＤ発光装置３の中心部分の冷却されない部分では、所定の光量を発することができなくなって薄暗くなり、集魚灯としての機能を十分に発揮できなくなるからである。
【００１６】
従来のようにＬＥＤ発光装置３を冷却する冷却装置を別個に使用すれば、サイズが１００mm×１００mmを超えるものでも冷却可能となるが、その場合には冷却コストが格段に増加し、冷却装置を冷却するための大型の発電機も必要となり、又エネルギーコストも増大する。そして、このような各種の新たな機器の設置スペースを始め、コスト増を招き、小型の漁船１には採用し難い環境となる。
【００１７】
これに対して、本願発明にあっては、サイズが１００mm×１００mm以下のＬＥＤ発光装置３を使用することで、冷却液５を冷却する冷却装置を不要にでき、又冷却装置を駆動させる大型の発電機も不要にして小型のものが使用可能になる。さらに、冷却装置や大型の発電機の設置スペースを不要にできるので、特に、小型の漁船１に寄与するメリットは格段に向上するのである。
【００１８】
本願発明のＬＥＤ発光装置３は、ＬＥＤがＣＯＢ構造からなる。ＣＯＢ構造のＬＥＤ発光装置は、基板の所定の実装領域に、ＬＥＤ発光素子を搭載してこの発光素子の電極を基板上のリード電極（インナーリード）にワイヤボンディング等で電気的に接続し、あるいはＬＥＤ発光素子をフリップチップ実装でリード電極に接続し、ＬＥＤ発光素子やボンディングワイヤを被覆するように実装領域を透光性樹脂等の封止部材で封止して製造される。ＣＯＢ構造のＬＥＤ発光装置は、複数のＬＥＤ発光素子をマトリクス状に配列して面状の光を照射する面状発光装置として優れている。
【００１９】
また、ＬＥＤ発光装置３から発する光の全体を覆うように少なくとも一枚のレンズ３１が組み合わされてＬＥＤ発光装置３には取り付けられている。さらに、ＬＥＤ発光装置３から発する光を集光・反射する傘型のリフレクタ３２がＬＥＤ発光装置３に取り付けられている。
【００２０】
放熱部材４にはＬＥＤ発光装置３がその表面に取り付けられている。放熱部材４はその材質にアルミニウム製部材が使用されている。アルミニウムは、その熱伝導率が主要金属の中では銅に次いで優れている。又アルミニウムの比重は銅の３割程とかなり軽量で、しかも錆びにくい。銅は熱伝導率の観点からはアルミニウムに勝るが、その一方で３倍以上も重たく、錆びやすく、漁船１上に張ったワイヤーロープに吊り下げて使用するには難点がある。その点、アルミニウムは熱伝導率も高く、軽量で錆にも強く、漁船１上に張ったワイヤーロープに吊り下げての海洋での使用にはうってつけである。放熱部材４は厚みのある方形状の形状をしている。
【００２１】
放熱部材４の厚みのある内部には、冷却液５が流れる放熱路４１が一体形成されている。冷却液５はこの放熱路４１を流れている間に、放熱路４１の内周壁面を通じてＬＥＤ発光装置３で発生した熱を吸収して、ＬＥＤ発光装置３を冷却する機能を果たす。このため、放熱路４１はその内周壁面を通じて放熱部材４の表面から伝わるＬＥＤ発光装置３を効率的に吸収し易い一定の長さと断面形状を有している。
【００２２】
放熱路４１は、ＬＥＤ発光装置３から効率的に熱を吸収し易いように、複数回の往復を繰り返す断面角形の形状に形成されている。図示する放熱路４１は、その流入口４２と排出口４３が方形状の放熱部材４の下端の両側に少し下向きに突出した状態で形成されている。この流入口４２と排出口４３とには、放熱ホース６の一端がそれぞれ接続される。
【００２３】
放熱路４１は、放熱部材４の下端の流入口４２からその内部を上向きに垂直に延び、上部の所定箇所で１８０度折り返して放熱部材４の内部を逆に下向きに垂直に延び、下部の所定箇所で１８０度折り返して放熱部材４の内部を再び上向きに垂直に延びている。そして、以下、実施例の図で放熱路４１はこれを上部の所定箇所で３回繰り返し、下部の所定箇所で２回繰り返している。放熱路４１の下流側は最後に下向きに垂直に延びて排出口４３に接続している。
【００２４】
なお、実施例の図では、流入口４２及び排出口４３が放熱部材４の下端の両側に形成されている場合で説明したが、放熱路４１の内部に形成された放熱路４１の向きは上下が逆になっていてもよい。つまり、流入口４２及び排出口４３が放熱部材４の上端の両側に形成されていてもよい。
【００２５】
放熱路４１の断面角形の形状としては、断面四角形の各角部を傾斜面にした角部傾斜４１ａの断面四角形状に形成されている。断面四角形の場合、内部を流れる冷却液５は、直角な角部の隅々まで行き渡って流れるのは困難で、角部の一部は流れる冷却液５が行き渡らない空隙部が生じやすい。その結果、断面四角形では角部を含む全周面での熱の放出が難しい。
【００２６】
これに対し、角部傾斜４１ａの断面四角形は、断面四角形では空隙部が生じやすい角部が傾斜面になっているので、角部傾斜４１ａの傾斜面を通じて熱の放出が図られ、断面四角形に比べ熱放出の機能が高められている。なお、断面円形は断面積に比べてその円周が最小となり、熱放出の効率は角部傾斜４１ａの断面四角形に比べ劣る。
【００２７】
冷却液５は、上記放熱部材４の放熱路４１内を流れ該放熱路４１の内周壁面を通じて上記ＬＥＤ発光装置３で生じる熱を吸収して該ＬＥＤ発光装置３を冷却する機能を果たす。冷却液５には例えば安全性があり、コストがかからない水が使用されるが、水より比熱が小さく安全性の高い例えば食用油などでもよい。
【００２８】
放熱ホース６は、熱を吸収した上記冷却液５が内部を流れている間に該冷却液５の熱を外気に放出させる機能を備えたフレキシブルな構造からなっている。放熱ホース６は、フレキシブルな構造からなり、柔軟性があるため作業性に優れ、漁船１の上で配設するときの自由度が増し、また、ワイヤーロープ９への取り付けも容易となる。
【００２９】
放熱ホース６は、軟質合成樹脂を材料とする円筒状の軟質側周面６ａで形成され、その軟質側周面６ａの材料となる軟質合成樹脂の内部には、細長い硬質合成樹脂からなる硬質線材６ｂが螺旋状に巻かれて一体化して組み込まれている。
【００３０】
放熱ホース６は、筒状の軟質側周面６ａにより柔軟性が維持され、且つ、その内部に一体化された螺旋状の硬質線材６ｂにより筒状の形状が維持される。また硬質線材６ｂが螺旋状であるため、簡単に曲がる。軟質側周面６ａを形成する軟質合成樹脂には例えば軟質ポリ塩化ビニル（軟質ＰＶＣ）が使用される。また、螺旋状の硬質線材６ｂを形成する硬質合成樹脂には例えば硬質ポリ塩化ビニル（硬質ＰＶＣ）が使用される。
【００３１】
放熱ホース６は、上記ＬＥＤ集魚灯２の放熱部材４に形成された上記放熱路４１の流入口４２と排出口４３とに接続して漁船１上を循環配設される。つまり、放熱ホース６の一端は流入口４２に接続され、放熱ホース６の他端は排出口４３に接続され、その両端以外の部分の放熱ホース６は、漁船１上を循環して配設されている。
【００３２】
漁船１上を循環配設される放熱ホース６の途中に上記冷却液５の貯留タンク７と循環ポンプ８とが備えられている。貯留タンク７及び循環ポンプ８は漁船１に設置されている。貯留タンク７は冷却液５を一時的に溜めるタンクである。また、循環ポンプ８は冷却液５を貯留タンク７とＬＥＤ発光装置３の放熱路４１との間で放熱ホース６を通じて循環させるポンプである。冷却液５は放熱ホース６を通じて循環する間に冷却される。
【００３３】
上記漁船１上には、船の長さ方向にワイヤーロープ９が張られている。漁船１の船首側と船尾側の操縦室にはポール９１，９２が取り付けられていて、ワイヤーロープ９はこのポール９１とポール９２との間に張られている。ポール９１とポール９２との間に張られワイヤーロープ９にはＬＥＤ発光装置３の放熱路４１に両端が接続する放熱ホース６が取り付けられている。
【００３４】
同様に、ポール９１とポール９２との間に張られワイヤーロープ９にはＬＥＤ集魚灯２が揺動可能に吊り下げられている。ＬＥＤ集魚灯２は漁船１の左舷方向及び右舷方向に向けて光りを発するように吊り下げられている。ＬＥＤ集魚灯２はワイヤーロープ９に揺動可能に吊り下げられることにより、漁船１が波で揺れて傾いても、ＬＥＤ集魚灯２は揺動することで海面に対して所定の向きを維持し、ＬＥＤ集魚灯２から発する光は、漁船１の左舷方向及び右舷方向の海面を常に照らし続ける。
【００３５】
次に、上記発明を実施するための形態の構成に基づく作用について以下説明する。
漁船１に取り付けられたＬＥＤ集魚灯２は、ポール９１とポール９２との間に張られワイヤーロープ９に揺動可能に吊り下げられているので、漁船１が左右に揺れても、ＬＥＤ集魚灯２は左右に傾くことなく、左舷方向及び右舷方向の海面を常に照らし続けることができる。
【００３６】
海面を照らすＬＥＤ集魚灯２は、その表面のＬＥＤ発光装置３から光を発する際に熱が生じる。ＬＥＤ発光装置３の裏側には放熱部材４が取り付けられているので、ＬＥＤ発光装置３で生じた熱は放熱部材４に伝わることで取り除かれて、ＬＥＤ発光装置３は加熱されることが防がれ、その発光量の低下が回避される。
【００３７】
放熱部材４に伝わった熱はその内部の放熱路４１を流れる冷却液５に吸収される。この冷却液５は、循環ポンプ８の駆動によって、貯留タンク７、上流側の放熱ホース６、放熱部材４、下流側の放熱ホース６の順に流れて元の貯留タンク７に戻るように、循環している。
【００３８】
放熱部材４から熱を吸収する冷却液５は、放熱部材４の内部の放熱路４１の流入口４２から入り、放熱路４１内を流れて排出口４３から排出される。冷却液５が内部を流れる放熱路４１は、角部傾斜４１ａの断面四角形の形状に形成されているため、冷却液５は角部傾斜４１ａの断面四角形の放熱路４１の内周壁面に密接した状態で流れる。これにより、冷却液５は放熱路４１の内周壁面の全面から効率よく熱を吸収することができる。
【００３９】
このようにして、海面を照らした際にＬＥＤ発光装置３で発生した熱は放熱部材４に伝わり、放熱部材４に伝わった熱はその内部の放熱路４１を流れる冷却液５に伝わって吸収されることで、ＬＥＤ発光装置３が加熱するのが防止される。
【００４０】
放熱部材４の放熱路４１を流れている間に熱を吸収して温められた冷却液５は、放熱路４１の排出口４３から、これに端部が接続される放熱ホース６内に流入する。放熱ホース６内に流入した冷却液５は、この内部を流下中に、吸収した熱が放熱ホース６の表面から外気に放出されることによって、冷やされることになる。
【００４１】
放熱ホース６を流れている間に熱が放出された冷却液５は、一旦貯留タンク７に溜められた後、再び放熱ホース６を流れて放熱部材４の放熱路４１の流入口４２に向かって流れる。この放熱ホース６を流れている間も、冷却液５は吸収した熱が放熱ホース６の表面から外気に放出される。
【００４２】
つまり、冷却液５は、放熱部材４に向かって流れる所謂上流側の放熱ホース６、及び放熱部材４から排出されて流れる所謂下流側の放熱ホース６、の双方を流れている間に放熱ホース６の表面から外気に熱がそれぞれ放出されることになる。
【００４３】
このようにして、海面を照らす際にＬＥＤ発光装置３で生じた熱は放熱部材４を通じて冷却液５に伝わる。そして冷却液５に伝わった熱は放熱ホース６をながれている間に、放熱ホース６の表面から外気に放出されることで、ＬＥＤ発光装置３は冷却されて、発光量の低下が防がれるのである。
【実施例１】
【００４４】
図２に示した簡潔な冷却システムで十分冷却可能なことが分かったので、工場内において温度上昇の確認のための実験を行った。この結果は図８に示すように、室内気温２０℃から上昇するものの、４２〜４３℃で飽和することが観測された。この結果、外気温からの温度上昇は最大でも、２５℃程度であり、夏場（外気温３０℃）でも十分冷却可能であることが分かった。
【００４５】
【表１】
2018113877.tif 000003
【符号の説明】
【００４６】
１    漁船
２    ＬＥＤ集魚灯
３    ＬＥＤ発光装置
３１    レンズ
３２    リフレクタ
４    放熱部材
４１    放熱路
４１ａ  角部傾斜
４２    流入口
４３    排出口
５    冷却液
６    放熱ホース
６ａ  軟質側周面
６ｂ  硬質線材
７    貯留タンク
８    循環ポンプ
９    ワイヤーロープ
９１    ポール
９２    ポール
【図１】
2018113877.tif 000004
【図２】
2018113877.tif 000005
【図３】
2018113877.tif 000006
【図４】
2018113877.tif 000007
【図５】
2018113877.tif 000008
【図６】
2018113877.tif 000009
【図７】
2018113877.tif 000010
【図８】
2018113877.tif 000011
【手続補正書】
【提出日】平成30年3月10日(2018.3.10)
【手続補正１】
【補正対象書類名】特許請求の範囲
【補正対象項目名】請求項１
【補正方法】変更
【補正の内容】
【請求項１】
サイズが１００mm×１００mm以下のＣＯＢ構造のＬＥＤ発光装置と、該ＬＥＤ発光装置が表面に取り付けられ材質がアルミニウム製部材からなり複数回の１８０度の屈曲を繰り返す角部傾斜の断面四角形の放熱路を内部に一体形成した軽量の放熱部材と、を有するＬＥＤ集魚灯を備え、上記放熱部材の放熱路内を流れ該放熱路の内周壁面を通じて上記ＬＥＤ発光装置で生じる熱を吸収して該ＬＥＤ発光装置を冷却する冷却液を備え、熱を吸収した上記冷却液が内部を流れる間に該冷却液の熱を外気に放出させるフレキシブルな放熱ホースを備え、上記放熱ホースの筒状の側周面を、硬質線材が内部に一体化されて螺旋状に巻かれた軟質側周面から構成し、上記ＬＥＤ集魚灯の放熱部材に形成された上記放熱路の流入口と排出口とに上記放熱ホースの両端をそれぞれ接続して漁船上に該放熱ホースを循環配設し、循環して配設される上記放熱ホースの途中に上記冷却液の貯留タンクと循環ポンプとを備え、上記漁船上の船首側と船尾側にそれぞれ取り付けたポール間に張ったワイヤーロープに上記ＬＥＤ集魚灯を揺動可能に吊り下げ、上記冷却液が循環しながらその内部を流れ且つ漁船上に張った上記ワイヤーロープに取り付けられた上記放熱ホースを通じて上記ＬＥＤ発光装置を冷却可能にしたことを特徴とするワイヤー吊り下げ式ＬＥＤ集魚灯。
【手続補正２】
【補正対象書類名】明細書
【補正対象項目名】０００７
【補正方法】変更
【補正の内容】
【０００７】
以上の課題を達成するために、この発明は、サイズが１００mm×１００mm以下のＣＯＢ構造のＬＥＤ発光装置と、該ＬＥＤ発光装置が表面に取り付けられ材質がアルミニウム製部材からなり複数回の１８０度の屈曲を繰り返す角部傾斜の断面四角形の放熱路を内部に一体形成した軽量の放熱部材と、を有するＬＥＤ集魚灯を備え、上記放熱部材の放熱路内を流れ該放熱路の内周壁面を通じて上記ＬＥＤ発光装置で生じる熱を吸収して該ＬＥＤ発光装置を冷却する冷却液を備え、熱を吸収した上記冷却液が内部を流れる間に該冷却液の熱を外気に放出させるフレキシブルな放熱ホースを備え、上記放熱ホースの筒状の側周面を、硬質線材が内部に一体化されて螺旋状に巻かれた軟質側周面から構成し、上記ＬＥＤ集魚灯の放熱部材に形成された上記放熱路の流入口と排出口とに上記放熱ホースの両端をそれぞれ接続して漁船上に該放熱ホースを循環配設し、循環して配設される上記放熱ホースの途中に上記冷却液の貯留タンクと循環ポンプとを備え、上記漁船上の船首側と船尾側にそれぞれ取り付けたポール間に張ったワイヤーロープに上記ＬＥＤ集魚灯を揺動可能に吊り下げ、上記冷却液が循環しながらその内部を流れ且つ漁船上に張った上記ワイヤーロープに取り付けられた上記放熱ホースを通じて上記ＬＥＤ発光装置を冷却可能にした手段よりなるものである。